(57)【要約】【課題】発熱を抑制し、適切に動作させることができる固体撮像装置を提供。【解決手段】ディジタルカメラ10は、信号処理部20の図示しない温度監視機能部で温度センサ38から供給された測定温度が所定の温度より高いか否かを判断し、判断の真に応じてシステム制御部24でタイミング信号発生器28の位相制御および駆動電流制御部26の抑制した駆動に制御する制御信号88および86を生成し、駆動電流制御部26の抑制した駆動にともなうタイミングのずれをタイミング信号発生器28の位相制御によりなくし、適切に動作させ、駆動電流制御部26によりドライバ30が出力する駆動信号の駆動電流量を抑制する。【選択図】図１
2007288445.tif 000002
【特許請求の範囲】
【請求項１】
被写界からの入射光を信号電荷に光電変換する複数の受光素子が２次元状に配され、該複数の受光素子のそれぞれから読み出した信号電荷を垂直方向へ転送する複数の垂直転送手段、該複数の垂直転送手段からの信号電荷を水平方向に転送する水平転送手段、および該水平転送手段の信号電荷を電圧に変換し、出力する出力手段を含む固体撮像素子から設定されたモードに応じた撮像信号を読み出し、読み出した撮像信号に信号処理を施す固体撮像装置において、該装置は、
前記固体撮像素子における前記信号電荷の読み出し、前記複数の垂直転送手段、前記水平転送手段、および前記出力手段を駆動する駆動手段と、
該駆動手段に供給するタイミング信号を生成し、生成したタイミング信号の位相を前記モードおよび条件に応じて調整するタイミング調整手段と、
前記駆動手段が出力する駆動信号の駆動電流量を制御する電流制御手段と、
前記固体撮像素子の温度を測定する温度検出手段と、
前記撮像信号に信号処理を施す信号処理手段とを含み、
該信号処理手段は、前記温度検出手段で測定された温度が所定の温度より高いか否かを判断する監視機能ブロックを含み、
該装置は、さらに、該監視機能ブロックで前記所定の温度より高い測定温度の検出に応じて前記タイミング調整手段の位相制御および前記電流制御手段の抑制した駆動に制御する制御信号を生成する制御手段を含むことを特徴とする固体撮像装置。
【請求項２】
請求項１に記載の装置において、前記制御手段は、前記監視機能ブロックでの前記所定の温度以下の測定温度に応じて前記タイミング調整手段の位相制御および前記電流制御手段の抑制した駆動を禁止することを特徴とする固体撮像装置。
【請求項３】
請求項１に記載の装置において、前記制御手段は、前記読み出した撮像信号を表示するモニタモード、前記読み出した撮像信号を動画記録する動画撮影モードおよび前記読み出した撮像信号を基に測光/測距するモードのいずれか一つにおいて、前記監視機能ブロックで前記所定の温度より高い測定温度の検出に応じて前記タイミング調整手段の位相制御および前記電流制御手段の抑制した駆動に制御する制御信号を生成し、前記タイミング調整手段における前記水平転送手段および前記出力手段に供給するタイミング信号のパルス位相の変化を制御することを特徴とする固体撮像装置。
【請求項４】
請求項１に記載の装置において、前記制御手段は、該装置における駆動周波数の低下および前記監視機能ブロックで前記所定の温度より高い測定温度の検出に応じて前記タイミング調整手段の位相制御および前記電流制御手段の抑制した駆動に制御する制御信号を生成し、前記タイミング調整手段における前記水平転送手段および前記出力手段に供給するタイミング信号のパルス位相の変化を制御することを特徴とする固体撮像装置。
【請求項５】
請求項１に記載の装置において、前記制御手段は、前記信号電荷を所定の速度での掃出しより高速な掃出しにおいて、前記監視機能ブロックで前記所定の温度より高い測定温度の検出に応じて前記タイミング調整手段の位相制御および前記電流制御手段の抑制した駆動に制御する制御信号を生成し、前記タイミング調整手段における前記水平転送手段および前記出力手段に供給するタイミング信号のパルス位相の変化を制御することを特徴とする固体撮像装置。
【請求項６】
請求項１に記載の装置において、前記制御手段は、所定の撮影感度より低い感度において、前記監視機能ブロックで前記所定の温度より高い測定温度の検出に応じて前記タイミング調整手段の位相制御および前記電流制御手段の抑制した駆動に制御する制御信号を生成し、前記タイミング調整手段における前記水平転送手段および前記出力手段に供給するタイミング信号のパルス位相の変化を制御することを特徴とする固体撮像装置。
【請求項７】
請求項１に記載の装置において、前記制御手段は、所定の撮影感度以上の高感度において、前記測定温度すべてに対して、前記タイミング調整手段の位相制御および前記電流制御手段の抑制した駆動を禁止することを特徴とする固体撮像装置。
【請求項８】
請求項２または７に記載の装置において、前記制御手段は、前記タイミング調整手段の位相制御および前記電流制御手段の抑制した駆動の禁止を解除するタイミングを含む復帰モードの設定を制御することを特徴とする固体撮像装置。
【請求項９】
請求項１ないし８のいずれか一項に記載の装置において、前記監視機能ブロックは、電源投入後から所定の時間間隔で前記測定温度を監視することを特徴とする固体撮像装置。
【発明の詳細な説明】
【技術分野】
【０００１】
本発明は、固体撮像装置に関し、とくに、ディジタルカメラや画像入力装置等に用いて好適なものである。
【背景技術】
【０００２】
CCD（Charge Coupled Device）型撮像素子において撮像素子は、受光素子から読み出した信号電荷を転送する転送部および転送した信号電荷をアナログ電圧信号に変換する出力部でより多くの電力を消費する。とくに、水平転送部では、高い周波数で大きな寄生容量をもった電極を介して信号電荷を所定の方向に転送駆動するために、大電流が消費される。このように大きな電力を長時間消費し続けると、熱が発生し、撮像素子そのものや周辺機器に対して様々な問題を引き起こすことが知られている。
【０００３】
特許文献１の撮像装置は、温度判定モード、電源電圧判定モードおよび消費電流判定モードの条件を判定し、使用部品における絶対定格内に収まるように、電流を多<流すパルス同士の位相をずらすことによって最大消費電力量を減らすように動作させている。撮像装置は、低消費電力化して、装置の小型軽量化を実現させている。
【特許文献１】特開2004−72658号公報
【発明の開示】
【発明が解決しようとする課題】
【０００４】
ところで、上述したパルス同士の重なりにともなう最大消費電力量は減らすことができるが、位相をずらしても各々のパルスにおいて消費する電力量は変わらない。したがって、実際として全体での消費電力は減っていない。また、CCDの水平転送部を駆動するパルスの位相をずらすことから、転送効率に大きな影響を及ぼしてしまう。また、特許文献１は発熱量について何も検討されていない。
【０００５】
本発明はこのような従来技術の欠点を解消し、発熱を抑制し、適切に動作させることができる固体撮像装置を提供することを目的とする。
【課題を解決するための手段】
【０００６】
本発明は上述の課題を解決するために、被写界からの入射光を信号電荷に光電変換する複数の受光素子が２次元状に配され、この複数の受光素子のそれぞれから読み出した信号電荷を垂直方向へ転送する複数の垂直転送手段、この複数の垂直転送手段からの信号電荷を水平方向に転送する水平転送手段、およびこの水平転送手段の信号電荷を電圧に変換し、出力する出力手段を含む固体撮像素子から設定されたモードに応じた撮像信号を読み出し、読み出した撮像信号に信号処理を施す固体撮像装置において、この装置は、固体撮像素子における信号電荷の読出し、複数の垂直転送手段、水平転送手段、および出力手段を駆動する駆動手段と、この駆動手段に供給するタイミング信号を生成し、生成したタイミング信号の位相をモードおよび条件に応じて調整するタイミング調整手段と、駆動手段が出力する駆動信号の駆動電流量を制御する電流制御手段と、固体撮像素子の温度を測定する温度検出手段と、撮像信号に信号処理を施す信号処理手段とを含み、この信号処理手段は、温度検出手段で測定された温度が所定の温度より高いか否かを判断する監視機能ブロックを含み、この装置は、さらに、この監視機能ブロックで所定の温度より高い測定温度の検出に応じてタイミング調整手段の位相制御および電流制御手段の抑制した駆動に制御する制御信号を生成する制御手段を含むことを特徴とする。
【０００７】
本発明の固体撮像装置は、信号処理手段の監視機能ブロックで温度検出手段から供給された測定温度が所定の温度より高いか否かを判断し、判断の真に応じて制御手段でタイミング調整手段の位相制御および電流制御手段の抑制した駆動に制御する制御信号を生成し、電流制御手段の抑制した駆動にともなうタイミングのずれをタイミング調整手段の位相制御によりなくし、適切に動作させ、電流制御手段により駆動手段が出力する出力信号の駆動電流量を抑制して、固体撮像素子の消費電力を低下させることができる。
【発明を実施するための最良の形態】
【０００８】
次に添付図面を参照して本発明による固体撮像装置の一実施例を詳細に説明する。図１を参照すると、本発明による固体撮像装置の実施例は、信号処理部20の図示しない温度監視機能部で温度センサ38から供給された測定温度が所定の温度より高いか否かを判断し、判断の真に応じてシステム制御部24でタイミング信号発生器28の位相制御および駆動電流制御部26の抑制した駆動に制御する制御信号88および86を生成し、駆動電流制御部26の抑制した駆動にともなうタイミングのずれをタイミング信号発生器28の位相制御によりなくし、適切に動作させ、駆動電流制御部26によりドライバ30が出力する駆動信号の駆動電流量を抑制して、図示しない固体撮像素子の消費電力を低下させることができる。
【０００９】
本実施例は、本発明の固体撮像装置をディジタルカメラ10に適用した場合である。本発明と直接関係のない部分について図示および説明を省略する。以下の説明で、信号はその現れる接続線の参照番号で指示する。
【００１０】
ディジタルカメラ10は、図１に示すように、光学系12、撮像部14、前処理部16、バッファメモリ18、信号処理部20、操作部22、システム制御部24、駆動電流制御部26、タイミング信号発生器28、ドライバ30、メディアIF（InterFace）回路32、メディア34、モニタ36および温度センサ38を含む。
【００１１】
光学系12は、被写界からの入射光を撮像部14にて操作部22の操作に応じた画像を結像させる機能を有する。光学系12は操作部22のズーム操作や半押し操作に応じて画角や焦点距離を調整する。
【００１２】
撮像部14には、入射光の到来方向に受光素子の配設位置に対応させて色フィルタセグメントが配された固体撮像素子40を含む。固体撮像素子40は、入射光を色分解し、この分解された色成分の光を受光素子で色属性を有する信号電荷に変換し、電気信号を出力する機能を有する。本実施例の固体撮像素子40には、図２に示すように三原色R, GおよびBの色フィルタセグメントがベイヤパターンで配置される。固体撮像素子40は、単板の色フィルタを用い、色フィルタセグメントと受光素子42とを対応させて、配される。
【００１３】
固体撮像素子40は、受光素子42にて露出に応じて光電変換により蓄積した信号電荷を、トランスファシフトゲート44を介して垂直転送路46に読み出して、垂直方向に順次転送する。トランスファシフトゲート44は、たとえば垂直転送路46を４相の垂直駆動信号φV1〜φV4で駆動させる。垂直に転送された信号電荷は、図示しないラインメモリを介して水平転送路48に供給される。水平転送路48は、出力アンプ50に向けて信号電荷を転送する。出力アンプ50は、フローティングディフュージョンで供給される信号電荷をアナログ電圧信号に変換し、出力する。
【００１４】
図１に戻って、撮像部14は、固体撮像素子40からアナログ信号52を前処理部16に出力する。
【００１５】
前処理部16はアナログフロントエンド（AFE）機能を有する。この機能は、相関二重サンプリング（CDS）によるアナログ信号44に対するノイズ低減と、このノイズ低減したアナログ電気信号をディジタル化、すなわちA/D変換する機能を含む。前処理部16は、ディジタル化した画像データ54をバッファメモリ18に出力する。
【００１６】
バッファメモリ18は、供給される画像データ54を一時格納し、出力する機能を有する。バッファメモリ部18は、図示しない制御信号に応じて入力した画像データ54を画像データ56として、バス58、信号線60を介して信号処理部20に出力する。
【００１７】
信号処理部20は、図３に示すように、AF（Automatic Focusing）演算機能部62、AE（Automatic Exposure）演算機能部64、AWB（Automatic White Balance）演算機能部66、オフセット補正機能部68、ゲイン補正機能部70および温度監視機能部72を含む。AF演算機能部62は、供給される画像データを基に被写体と撮像部14の焦点面または撮像面との間の焦点距離（合焦距離）を演算により最適な焦点距離を算出する機能を有する。AE演算機能部64は、供給される画像データを基に被写体にとって最適な露出量を演算により算出する機能を有する。AF演算機能部62およびAE演算機能部64は、算出した焦点距離と露出量をそれぞれシステム制御部24に、信号線60、バス58および信号線74を介して出力する。
【００１８】
AWB演算機能部66は、供給される画像データに対するホワイトバランスを最適にする補正量を算出する機能を有する。オフセット補正機能部68は、供給される画像データに対するオフセットまたは階調を補正する機能を有する。ゲイン補正機能部70は、供給される画像データの色にともなう差をなくすように画像データにゲインを掛けて補正する機能を有する。AWB演算機能部66、オフセット補正機能部68およびゲイン補正機能部70は、各機能により供給される画像データを補正する。
【００１９】
温度監視機能部72は、測定された温度が所定の範囲内にあるか否かを判断する機能を有する。温度監視機能部72は、判断結果のデータをシステム制御部24に、信号線60、バス58および信号線74を介して出力する。
【００２０】
なお、信号処理部20は、図示しないが、供給される画像データを基に同時化し、同時化した画像データを用いY/C信号を生成する機能を有する。また、信号処理部20は、生成したY/C信号をたとえば液晶モニタ用の信号に変換する機能も有する。さらに、信号処理部20は、記録モードに応じて生成したY/C信号に対する圧縮や圧縮された信号を元に伸長し復元再生する機能を有する。記録モードには、JPEG（Joint Photographic Experts Group）、MPEG（Moving Picture Experts Group）およびRAWモード等がある。
【００２１】
図１に戻って、信号処理部20は、記録モードに処理された画像データを信号線60、バス58および信号線76からメディアIF回路32に供給する。また、信号処理部20は、液晶モニタ用の信号78をモニタ36に出力する。
【００２２】
操作部22は、電源スイッチ、ズームボタン、メニュー表示切替スイッチ、選択キー、動画モード設定部、連写速度設定部およびレリーズシャッタボタンを含む。とくに、レリーズシャッタボタンは、半押し/全押し操作に応じてディジタルカメラ10の動作タイミングや動作モードを選択する機能を有する。レリーズシャッタボタンは、半押し操作に応じてAEおよびAFの動作をさせる。この動作は動画表示で得られる画像を用いて適正とする絞り、シャッタ速度および合焦距離を求める。また、レリーズシャッタボタンは、全押し操作により記録開始/記録終了のタイミングをシステム制御部24に送り、ディジタルカメラ10の設定モードに応じた動作タイミングを提供する。設定モードには、静止画記録および動画記録等がある。操作部22は、操作指示信号80をシステム制御部24に供給する。
【００２３】
システム制御部24は、操作部22からの操作指示信号80に応じた各種の制御信号を生成する機能を有する。システム制御部24には、温度センサ38からの検出情報82が供給される。システム制御部24は、供給される検出情報82を基に固体撮像素子40の裏面側に配設することによる固体撮像素子40の温度またはこの素子40の近傍における周囲温度を算出する機能を有する。システム制御部24は、測定した温度情報を、信号線74、バス58および信号線60を介して信号処理部20の温度監視機能部72に出力する。
【００２４】
温度監視機能部72では、供給された温度情報が所定の温度範囲内にあるか否かを判断する。温度監視機能部72における所定の温度範囲は、上限温度と下限温度との範囲を示す。また、温度監視機能部72は、所定の温度範囲に限定するものでなく、所定の温度に設定する上限温度と下限温度のいずれか一方だけを判断基準の温度に用いるようにしてもよい。温度監視機能部72は、この判断結果のデータをシステム制御部24の温度対応制御機能部84に、信号線60、バス58および信号線74を介して出力する。
【００２５】
温度対応制御機能部84は、所定の温度以内にあることを示すデータと、所定の温度の範囲外にあることを示すデータとのいずれかが供給され、これらのデータに応じた制御信号を生成し、駆動電流制御部26に制御信号86を出力する。
【００２６】
さらに、システム制御部24は、操作部22からの操作指示信号80に応じてタイミング信号発生器28に制御信号88を生成する。システム制御部24は、制御信号74も生成し、出力する。制御信号74は、バス58を介して信号処理部20やストレージIF回路32に供給される。制御信号88は、タイミング信号発生器28のタイミング信号の生成を制御する。
【００２７】
駆動電流制御部26は、制御信号86に応じてドライバ30で流す駆動電流量を制御する制御信号90および92を生成する機能を有する。駆動電流制御部26は、制御信号90および92を電流抑制信号としてドライバ30を制御する。駆動電流量は２つの電流値に限定されるものでなく、動作モードに応じて数段階に制御するようにしてもよい。ドライバ30の制御については後段で説明する。
【００２８】
なお、駆動電流制御部26は、駆動電流抑制状態から通常の駆動状態に復帰または逆の状態、すなわち通常の駆動状態から駆動電流抑制状態への状態遷移において動作切替前後での誤動作を防止するため余裕を持たせるとよい。この誤動作は、高速掃出しやダミーフレーム撮像等が適宜行なわれることで防止することができる。駆動電流抑制状態の制御は、低感度撮影時やモニタモード等のように信号電荷の転送効率が低くなっても影響が軽微な動作モードに適用することが好ましい。具体的には、駆動周波数を低下させると、スルーレートに関して条件が緩くなることから、過剰な駆動電流が供給されることになるこのような場合においてこの適用は有効である。
【００２９】
タイミング信号発生器28は、撮像部14用の垂直および水平同期信号、フィールドシフトゲート信号、垂直および水平タイミング信号、ならびにOFD（Over-Flow Drain）信号等、各種のタイミング信号を生成する機能を有する。また、この機能は、駆動モードが感度、温度、走査に応じた各種のタイミング信号94を生成する。タイミング信号発生器28は、各種のタイミング信号94をドライバ30に出力する。また、タイミング信号発生器28は、サンプリング信号95を前処理部16に出力する。
【００３０】
ここで、タイミング信号発生器28には、制御信号86に同期して、制御信号88が供給される。タイミング信号発生器28は、制御信号88に応じて生成するタイミング信号のパルス位相を切り替える。パルス位相の切替えは、最大消費電力量を抑制するためでなく、駆動電流量の減少にともない生じるパルスのスルーレートの変化を調整し、最適な位相にすることを意味する。すなわち、パルスのスルーレートは、転送レートに応じてパルスの立ち上がりや立ち下がりの位相が変化するからである。タイミング信号発生器28は、同様に、サンプリング信号95に対してもパルス位相を変化させて供給することが好ましい。
【００３１】
ドライバ30は、図４に示すように、OFDパルスドライバ96、垂直（V）ドライバ98、水平（H）ドライバ100およびリセット（RS）ドライバ102を含む。各ドライバには、タイミング信号発生器28からの各種のタイミング信号94が供給される。タイミング信号94の内、とくに、水平タイミング信号とリセット信号は、駆動電流量に応じた位相の信号に調整されて、供給される。また、Hドライバ100およびRSドライバ102には、駆動電流制御部26から制御信号90および92がそれぞれ供給される。制御信号90および92は、駆動電流量を抑制/通常状態のいずれにするかを示す信号である。OFDパルスドライバ96、Vドライバ98、Hドライバ100およびRSドライバ102は、所定の電圧、駆動電流量に調整されたOFDパルス104、垂直駆動信号106、水平駆動信号108およびリセット駆動信号110を固体撮像素子40に出力する。
【００３２】
図１に戻って、メディアIF回路32は、たとえば扱う記録媒体に応じて画像データの記録/再生を制御するインタフェース制御機能を有する。メディアIF回路32は、画像データ112を半導体記録媒体であるPC（Personal Computer）カードに対する書込み/読出し制御したりUSB（Universal Serial Bus）コントローラの内蔵にともないの書込み/読出し制御したりすることができる。メディア34には、各種の半導体カードの規格がある。
【００３３】
モニタ36には、液晶モニタ等が用いられる。モニタ36は、信号処理部20から供給される画像データ78を表示する。
【００３４】
温度センサ38は、固体撮像素子40の裏面側に配設することによる固体撮像素子40の温度またはこの素子40の近傍における周囲温度の温度情報82を測定し、システム制御部24に供給する。システム制御部24は、供給される温度情報82を温度に変換し、温度Tを信号処理部20に出力する。
【００３５】
このように構成することにより適切な速度で動作させることが可能になり、最大消費電力量を低減するだけでなく、実質的に消費電力を低減させることができる。これにより装置内の発熱を抑制することができる。また、駆動電流量の抑制駆動状態/通常の駆動状態を切り替えて、制御するとともに、駆動信号のパルス位相も調整することにより各状態での駆動を最適にすることができる。
【００３６】
次に本発明の固体撮像装置を適用したディジタルカメラ10の動作について説明する。ディジタルカメラ10の電源投入ボタンを操作し、電源投入する。この電源投入後、直ちに温度を測定する（ステップS10）。温度測定は、温度センサ38からの検出情報82をシステム制御部24に出力する。システム制御部24は、供給される温度情報82を温度に変換し、温度Tを信号処理部20に出力する。測定とともに図示しないカウンタが動作を開始し、時間経過tを計測する。
【００３７】
信号処理部20では、供給される測定温度Tが所定の温度閾値の範囲内にあるか否かを判断する（ステップS12）。所定の温度閾値の範囲以内にある場合（YES）、通常の駆動に進む（ステップS14へ）。所定の温度閾値の範囲から外れた場合（NO）、モードの判断に進む（ステップS16へ）。モードの判断は高感度撮影モードか否かを判断する（ステップS16）。高感度モードとは、たとえばISO（International Organization for Standardization）800以上の設定をいう。ディジタルカメラ10のISO感度が800以上に設定されているならば、高感度モードと認識し、ISO800より低い感度設定の場合、低感度モードと認識する。ディジタルカメラ10が高感度モードの設定の場合（YES）、転送効率を優先し、強制的に通常状態で駆動させる（ステップS14へ）。また、ディジタルカメラ10が低感度モードの設定の場合（NO）、駆動電流の抑制およびパルス位相制御に進む（ステップS18へ）。
【００３８】
温度が所定の範囲内の場合や高感度モードの場合、ディジタルカメラ10は通常の駆動状態で駆動させる（ステップS14）。この駆動をさせながら、経過時間の測定に進む（ステップS20へ）。
【００３９】
温度測定の開始からの経過時間tがあらかじめ設定した時間閾値以下か否かを判断する（ステップS20）。カウント計測による経過時間tが時間閾値以下の場合（YES）、次の温度測定時刻に達していないと判断し、通常の駆動に戻る（ステップS14へ）。また、経過時間tが時間閾値を越えた場合（NO）、次の温度測定として温度測定に戻る（ステップS10へ）。戻った際に、カウント値をリセットして、カウントを再開する。
【００４０】
モードの判断は、図示しないが、システム制御部24にて操作部22を介して設定した撮影条件を読み出して、判断する。高感度モードでないモード、すなわち低感度モードやモニタモード、動画撮影モードの場合（NO）、駆動電流の抑制およびパルス位相を制御する（ステップS18）。システム制御部24は駆動電流制御部26に制御信号86を出力し、タイミング信号発生器28に制御信号88を出力する。駆動電流制御部26は、駆動電流量を抑制するように、制御信号90および92を生成し、出力する。同時に、タイミング信号発生器28は、パルス位相が調整されたタイミング信号94を生成し、出力する。ドライバ30は、駆動電流の低減にともなうパルス位相のずれを適切に補正された駆動信号を出力する。このように駆動信号が供給されることにより消費電力量を低減させるとともに、ずれることのない適切なタイミングで固体撮像素子40を駆動させることができる。
【００４１】
この駆動後、時間経過の判断処理に進む（ステップS22へ）。この判断処理は、温度測定の開始からの経過時間tがあらかじめ設定した時間閾値以下か否かの判断と同じである（ステップS22）。カウント計測による経過時間tが時間閾値以下の場合（YES）、次の温度測定時刻に達していないと判断し、駆動電流の抑制およびパルス位相の制御に戻る（ステップS18へ）。また、経過時間tが時間閾値を越えた場合（NO）、次の温度測定としてカウントをリセットし、再び温度測定に戻る（ステップS10へ）。
【００４２】
このようにあらかじめ定めた周期で、断続的に温度測定する。ここで、ディジタルカメラ10は、駆動切替条件として温度と高感度撮影するか否かを用いて駆動を切り替えて、消費電力を低減させている。
【００４３】
また、ディジタルカメラ10を安定に動作させる制御について簡単に説明する。ディジタルカメラ10は、図6(A)に示すように、フレームを供給して各モードにおける動作タイミングを調整する。図6(B)は、ディジタルカメラ10の動作モードを示す。本実施例の静止画撮影は高感度モードである。高感度モード以外のモード、モニタモード、AF/AEモードおよび動画撮影モードでは、所定の温度閾値の範囲から外れた場合、高温時または低温時において、駆動電流量が低く抑えられている。条件は、単にモードだけで上述の制御をしてもよい。静止画撮影モードの高感度モードでの静止画撮影が余裕を持って駆動されるために、駆動電流量の遷移で示される期間114は静止画撮影期間116より広い期間に設定される。期間114は、静止画撮影期間116の前後にそれぞれ高速掃出し期間118およびダミーフレーム期間120を設けた静止画撮影期間116より長い期間である。高速掃出し期間118およびダミーフレーム期間120は、それぞれ期間114と静止画撮影期間116との差で表わされる期間程度に設定することが好ましい。
【００４４】
また、モードの他、温度範囲外の場合も低感度モードと同じ設定により駆動電流の抑制およびパルス位相調整するように制御される。高速掃出し期間118およびダミーフレーム期間120も水平駆動信号の駆動電流を減らすことが望ましい。
【００４５】
このような駆動電流の減少は、電流抑制状態で、一般的にパルスのスルーレートが遅くなり、転送効率が低くなって、低感度撮影時やモニタモード等転送効率が低くなっても影響が軽微である。とくに、駆動周波数の低下時では、スルーレートに関する条件が緩くなり、駆動電流の一部が不要になるからである。
【００４６】
この結果、ディジタルカメラ10は、消費電力が抑制され、発熱が抑えられることから、熱によるノイズの影響を抑え、良好な画質の画像が提供されるという効果を奏することができる。
【図面の簡単な説明】
【００４７】
【図１】本発明に係る固体撮像装置を適用したディジタルカメラにおける概略的な構成を示すブロック図である。
【図２】図１の撮像部に用いる固体撮像素子の概略的な構成を示すブロック図である。
【図３】図１の信号処理部における概略的な構成を示すブロック図である。
【図４】図１のドライバにおける概略的な構成を示すブロック図である。
【図５】図１のディジタルカメラにおける動作手順を説明するフローチャートである。
【図６】図１のディジタルカメラにおける動作モードと駆動電流量の関係を示すタイミングチャートである。
【符号の説明】
【００４８】
10  ディジタルカメラ
12  光学系
14  撮像部
16  前処理部
18  バッファメモリ
20  信号処理部
22  操作部
24  システム制御部
26  駆動電流制御部
28  タイミング信号発生器
30  ドライバ
【図１】
2007288445.tif 000003
【図２】
2007288445.tif 000004
【図３】
2007288445.tif 000005
【図４】
2007288445.tif 000006
【図５】
2007288445.tif 000007
【図６】
2007288445.tif 000008